(57)【要約】【課題】　モノクロ表示画面上でも色の指定結果を視認可能とし、小型・低価格でかつ使い勝手の良いカラー印刷装置を提供する。【解決手段】　印字データの入力およびその色指定を行うための印刷データ入力手段と、入力された前記印字データを表示画面上に表示する表示手段と、前記色指定に基づいて前記印字データの印刷色を決定するとともに、この印刷色に基づいて前記印字データをカラー印刷するカラー印刷手段と、を備えたカラー印刷装置であって、前記表示手段は、前記印刷色の種類を前記表示画面上に文字表示することを特徴とする、あるいは、前記印刷色の種類に応じて、前記表示画面条の前記印字データの表示パターンを変更することを特徴とする。【選択図】　図１１
2004082735.tif 000002
【特許請求の範囲】
【請求項１】
　印字データの入力およびその色指定を行うための印刷データ入力手段と、
　入力された前記印字データを表示画面上に表示する表示手段と、
　前記色指定に基づいて前記印字データの印刷色を決定するとともに、この印刷色に基づいて前記印字データをカラー印刷するカラー印刷手段と、
を備えたカラー印刷装置であって、
　前記表示手段は、前記印刷色の種類を前記表示画面上に文字表示することを特徴とするカラー印刷装置。
【請求項２】
　前記表示手段は、
　前記表示画面上に前記印字データを表示する行と対応する行別印刷色表示領域を設定し、各行の前記行別印刷色表示領域にその行の印字データの印刷色の種類を文字表示することを特徴とする、請求項１に記載のカラー印刷装置。
【請求項３】
　前記表示手段は、
　前記印字データの印刷色が１行のうちで切り換わるときに、その行の前記行別印刷色表示領域に、前記印刷色の種類の代わりに印刷色の数を表示することを特徴とする、請求項２に記載のカラー印刷装置。
【請求項４】
　前記表示手段は、
　前記表示画面上に、カーソル指定行印刷色表示領域を設定し、カーソルで指定された行の印刷色が１行のうちで切り換わるときに、前記カーソル指定行印刷色表示領域にカーソル指定行の印刷色の切り換わる位置および種類をそれぞれ表示することを特徴とする、請求項１ないし３のいずれかに記載のカラー印刷装置。
【請求項５】
　前記表示手段は、
　前記表示画面上に、カーソル位置印刷色表示領域を設定し、このカーソル位置印刷色表示領域にカーソルで指定された印字データの印刷色の種類を文字表示することを特徴とする、請求項１ないし４のいずれかに記載のカラー印刷装置。
【請求項６】
　印字データの入力およびその色指定を行うための印刷データ入力手段と、
　入力された前記印字データを表示画面上に表示する表示手段と、
　前記色指定に基づいて前記印字データの印刷色を決定するとともに、この印刷色に基づいて前記印字データをカラー印刷するカラー印刷手段と、
を備えたカラー印刷装置であって、
　前記表示手段は、前記印刷色の種類に応じて、前記表示画面上の前記印字データの表示パターンを変更することを特徴とするカラー印刷装置。
【請求項７】
　前記印字データの表示パターンの変更には、前記印字データに対する文字修飾の変更が含まれることを特徴とする、請求項６に記載のカラー印刷装置。
【請求項８】
　前記文字修飾の変更には、網掛けの種類の変更が含まれることを特徴とする、請求項７に記載のカラー印刷装置。
【請求項９】
　前記文字修飾の変更には、字体の種類の変更が含まれることを特徴とする、請求項７または８に記載のカラー印刷装置。
【請求項１０】
　前記表示手段は、
　前記印字データの印刷色の種類を複数のグループに分類して、そのグループを示す表示パターンで表示することを特徴とする、請求項１ないし９のいずれかに記載のカラー印刷装置。
【請求項１１】
　前記印刷データ入力手段は、前記色指定のための複数の色指定キーを有し、
　前記カラー印刷手段は、単一の前記色指定キーが操作された場合に、前記単一の色指定キーにより指定された色を前記印刷色として決定する一方、複数の前記色指定キーが操作された場合に、操作された各色指定キーにより指定された各色の中間色を前記印刷色として決定することを特徴とする、請求項１ないし１０のいずれかに記載のカラー印刷装置。
【請求項１２】
　前記印刷データ入力手段は、
　前記色指定として、前記印字データのうちの文字部分の文字色と、その背景部分の背景色とを、それぞれ独立に指定可能に構成されていることを特徴とする、請求項１ないし１１のいずれかに記載のカラー印刷装置。
【請求項１３】
　印刷対象物が、テープ状記録媒体であることを特徴とする、請求項１ないし１２のいずれかに記載のカラー印刷装置。
【発明の詳細な説明】
【技術分野】
【０００１】
　本発明は、入力された印字データを印刷する印刷装置に関するものである。更に詳しくは、入力された印字データを指定された色をもって印刷するためのカラー印刷化技術に関するものである。
【背景技術】
【０００２】
　印刷装置をカラー印刷化したい場合、色を指定するためのキー等を、印刷可能な全ての色に対応して設けられれば便利であるが、多様なカラー印刷を行おうとすると、膨大な数のキーが必要となり、このような膨大なキーを備えるキーボード入力部を用いると、装置の小型化と低価格化とが損なわれてしまう。そこで、一般に、パソコンの出力をカラープリンタで印刷する場合や、ワープロ専用機でカラー印刷する場合、パソコンやワープロのカラー表示画面に、「青」、「赤」、「黄」、…、などの選択枝や色のサンプル等を表示し、マウスやカーソルキー等により所望の色を選択して指定できるようにしている。
【発明の開示】
【発明が解決しようとする課題】
【０００３】
　しかしながら、例えば、裏面に剥離紙に覆われた粘着層を備えたテープ状記録媒体の表面に印刷を行うラベルプリンタ、ラベルワープロ等と呼ばれている小型の印刷装置では、上述したような色指定の情報を多数表示できるほど表示画面が大きくなく、また、低価格を維持するために一般にモノクロ表示画面が用いられるので、その指定した色を表示画面上で視認できないという問題点がある。すなわち、小型でかつ安価であることが前提条件になっているため、カラー印刷化が困難であった。さらに、上述のような表示画面上での操作は、使い勝手が悪いとして汎用の印刷装置には不適である。
【０００４】
　一方、小型の印刷装置であっても、印字データをカラー印刷したいという要求があり、しかも、印刷できる色の数を多くしたいという要求がある。
【０００５】
　本発明は、モノクロ表示画面上でも色の指定結果を視認可能とし、小型・低価格でかつ使い勝手の良いカラー印刷装置を提供することを目的とする。
【課題を解決するための手段】
【０００６】
　本発明の第１のカラー印刷装置は、印字データの入力およびその色指定を行うための印刷データ入力手段と、入力された前記印字データを表示画面上に表示する表示手段と、前記色指定に基づいて前記印字データの印刷色を決定するとともに、この印刷色に基づいて前記印字データをカラー印刷するカラー印刷手段と、を備えたカラー印刷装置であって、前記表示手段は、前記印刷色の種類を前記表示画面上に文字表示することを特徴とする。
【０００７】
　このカラー印刷装置では、印字データの色指定ができ、また、その色指定により決定する印刷色を表示画面上に文字表示するので、低価格化のためにモノクロ表示画面や色彩の判別しにくいカラー表示画面しか搭載されていない場合であっても、指定された印刷色を明確に視認できる。この結果、小型・低価格でありながら使い勝手の良いカラー印刷装置とすることができる。
【０００８】
　また、上述のカラー印刷装置において、前記表示手段は、前記表示画面上に前記印字データを表示する行と対応する行別印刷色表示領域を設定し、各行の前記行別印刷色表示領域にその行の印字データの印刷色の種類を文字表示することが好ましい。
【０００９】
　このカラー印刷装置では、行別印刷色表示領域に行毎の印刷色を文字表示するので、印字データが複数行に渡るような場合でも、各行毎の印刷色を明確に視認でき、さらに使い勝手が良くなる。
【００１０】
　また、上述のカラー印刷装置において、前記表示手段は、前記印字データの印刷色が１行のうちで切り換わるときに、その行の前記行別印刷色表示領域に、前記印刷色の種類の代わりに印刷色の数を表示することが好ましい。
【００１１】
　このカラー印刷装置では、１行の印字データの途中で印刷色が切り換わるときに、印刷色の代わりにその数を表示するので、印刷色が途中で切り換わっていることを容易に視認することができる。
【００１２】
　また、上述した各カラー印刷装置において、前記表示手段は、前記表示画面上に、カーソル指定行印刷色表示領域を設定し、カーソルで指定された行の印刷色が１行のうちで切り換わるときに、前記カーソル指定行印刷色表示領域にカーソル指定行の印刷色の切り換わる位置および種類をそれぞれ表示することが好ましい。
【００１３】
　このカラー印刷装置では、カーソルで指定された行の印刷色が１行のうちで切り換わるときに、カーソル指定行印刷色表示領域に印刷色の切り換わる位置および種類をそれぞれ表示するので、各行の印刷色が途中で切り換わっているような場合でも、カーソルを行間移動させるだけで、各行の各部分の印刷色を容易に視認することができる。
【００１４】
　また、上述した各カラー印刷装置において、前記表示手段は、前記表示画面上に、カーソル位置印刷色表示領域を設定し、このカーソル位置印刷色表示領域にカーソルで指定された印字データの印刷色の種類を文字表示することが好ましい。
【００１５】
　このカラー印刷装置では、カーソル位置印刷色表示領域にカーソルで指定された印字データの印刷色の種類を文字表示するので、カーソルを移動させるだけで、各印字データの印刷色を容易に視認することができる。
【００１６】
　また、本発明の第２のカラー印刷装置は、印字データの入力およびその色指定を行うための印刷データ入力手段と、入力された前記印字データを表示画面上に表示する表示手段と、前記色指定に基づいて前記印字データの印刷色を決定するとともに、この印刷色に基づいて前記印字データをカラー印刷するカラー印刷手段と、を備えたカラー印刷装置であって、前記表示手段は、前記印刷色の種類に応じて、前記表示画面上の前記印字データの表示パターンを変更することを特徴とする。
【００１７】
　このカラー印刷装置では、印字データの色指定ができ、また、その色指定により決定する印刷色に応じて印字データの表示パターンを変更するので、低価格化のためにモノクロ等の表示画面しか搭載されていない場合であっても、その表示パターンによって指定された印刷色を明確に視認できる。この結果、小型・低価格でありながら使い勝手の良いカラー印刷装置とすることができる。
【００１８】
　また、上述のカラー印刷装置において、前記印字データの表示パターンの変更には、前記印字データに対する文字修飾の変更が含まれることが好ましい。
【００１９】
　このカラー印刷装置では、印刷色を網掛けや字体などの文字修飾の種類によって表示するので、色の階調等を変更して表示する方法等より制御が簡単でかつ指定色を区別し易い。すなわち、指定された印刷色の種類によって印字データに対する文字修飾を変更するので、その表示パターンを容易に変更でき、これにより、指定された印刷色を容易かつ明確に視認できる。
【００２０】
　また、上述のカラー印刷装置において、前記文字修飾の変更には、網掛けの種類の変更が含まれることが好ましい。
【００２１】
　このカラー印刷装置では、印刷色を網掛けの種類によって表示できるので、印刷色によって印字データの表示パターンを容易に変更でき、これにより、指定された印刷色を容易かつ明確に視認できる。
【００２２】
　また、前記表示パターンの変更に前記文字修飾の変更が含まれる上述の各カラー印刷装置において、前記文字修飾の変更には、字体の種類の変更が含まれることが好ましい。
【００２３】
　このカラー印刷装置では、印刷色を字体の種類によって表示するので、印刷色によって印字データの表示パターンを容易に変更でき、これにより、指定された印刷色を容易かつ明確に視認できる。
【００２４】
　また、前記印刷色の種類に応じて前記表示パターンを変更する上述の各カラー印刷装置において、前記表示手段は、前記印字データの印刷色の種類を複数のグループに分類して、そのグループを示す表示パターンで表示することが好ましい。
【００２５】
　このカラー印刷装置では、前記印字データの印刷色の種類を複数のグループに分類して、そのグループを示す表示パターンで表示することにより、より数多くの種類の印刷色を簡略化して表示することができる。また、例えば、行方向を網掛けのグループ、列方向を字体のグループ等としたマトリクスから成る参照テーブルなどを利用して、そのマトリクス上に種々の印刷色を分類し、網掛けと字体等との組み合わせで印刷色を表示するなど、その他の種々の文字修飾等の組み合わせによる応用が可能となる。
【００２６】
　また、上述した各カラー印刷装置において、前記印刷データ入力手段は、前記色指定のための複数の色指定キーを有し、前記カラー印刷手段は、単一の前記色指定キーが操作された場合に、前記単一の色指定キーにより指定された色を前記印刷色として決定する一方、複数の前記色指定キーが操作された場合に、操作された各色指定キーにより指定された各色の中間色を前記印刷色として決定することが好ましい。
【００２７】
　このカラー印刷装置では、上述の表示パターンを変更することによる利点に加えて、複数の色指定キーを操作することにより、各色指定キーにより指定された色を混色した中間色に基づいて印刷色を決定し、その印刷色に基づいてカラー印刷ができる。すなわち、印刷色として混ぜたい色に対応する複数の色指定キーを押すという簡単な操作だけで、多様なカラー印刷を行うことができる。これにより、少ない色指定キーでも数多くの色を簡単に指定でき、この結果、小型・低価格でありながら、さらに使い勝手の良いカラー印刷装置とすることができる。
【００２８】
　また、上述した各カラー印刷装置において、前記印刷データ入力手段は、前記色指定として、前記印字データのうちの文字部分の文字色と、その背景部分の背景色とを、それぞれ独立に指定可能に構成されていることが好ましい。
【００２９】
　このカラー印刷装置では、文字色ばかりでなく背景色をも指定できるので、上述した各カラー印刷装置の利点に加え、さらに色鮮やかな多様な配色のカラー印刷ができる。
【００３０】
　また、上述した各カラー印刷装置において、印刷対象物が、テープ状記録媒体であることが好ましい。
【００３１】
　このカラー印刷装置は、印刷対象物が、テープ状記録媒体なので、上述した各カラー印刷装置と同じ利点を維持しつつ、例えば、ラベル等を作成するためのテープ印刷用のカラー印刷装置として適用できる。
【発明の効果】
【００３２】
　上述のように、本発明によれば、モノクロ表示画面上でも色の指定結果を視認可能とし、カラー印刷装置の小型化・低価格化を図りながらその使い勝手を高めることができる、などの効果がある。
【発明を実施するための最良の形態】
【００３３】
　図面を参照して本発明の各実施例を説明するが、各実施例の説明に先立って、各実施例に係るカラー印刷装置において共通な機構部分の構成について、図１〜図６を参照して説明しておく。
【００３４】
（全体構成）
　本例のインクジェットプリンタは、テープ状記録媒体がロール状に巻き取られた状態で収納されたテープカートリッジの装着部を備え、ここに装着されたテープカートリッジから繰り出されるテープ状記録媒体にインクジェットヘッドを用いてカラー印刷を行う形式のものである。特に、本例のプリンタは、裏面に剥離紙に覆われた粘着層を備えたテープ状記録媒体の表面に印刷を行うラベルプリンタ、ラベルワープロ等と呼ばれている形式のものである。
【００３５】
　図１は、本例のインクジェットプリンタ１（カラー印刷装置）の外観を示してある。同図に示すように、インクジェットプリンタ１は、全体として薄い直方体形状の本体ケーシング１０１を有しており、その上面の前側半分の部分がキーボード入力部１０２となっている。キーボード入力部１０２には、印刷動作を指示するための印刷ボタン１０３や電源ボタン１０４等を含む各種のキーが配列されている。
【００３６】
　キーボード入力部１０２には、印刷すべき文字情報などの印字データを入力するためのキーに加えて、図２に示すように、印字データを印刷するときの色を指定するための色指定キー１０２Ｃおよび色設定キー１０２Ａが含まれる。色指定キー１０２Ｃには、赤色を指定するための赤指定キー１０２Ｒ、黄色を指定するための黄指定キー１０２Ｋ、同様に、緑指定キー１０２Ｇ、青指定キー１０２Ｂ、紫指定キー１０２Ｐ、黒指定キー１０２Ｄ、白指定キー１０２Ｗが含まれる。
【００３７】
　本例では、印字データを印刷するときの色として、その背景色および文字色をそれぞれ指定できるようになっており、色設定キー１０２Ａには、文字色を指定するモードに切り換えるための文字色指定キー１０２Ｘ、背景色を指定するモードに切り換えるための背景色指定キー１０２Ｙ、指定した色を確定するための色指定確定キー１０２Ｚが含まれる。
【００３８】
　また、本例では、図１からわかるように、ケーシング１０１の上面の後側の部分には、キーボード入力部１０２のキーを介して入力した文字情報等を表示するための液晶表示部１７が配置されている。
【００３９】
　一方、本体ケーシング１０１の後側端面１０１ａには、その上端側の中央位置にテープ排出口１０１ｂが形成されており、印刷後のテープ状記録媒体（以下「テープ」と略称する）Ｔがここを介して外部に排出されるようになっている。また、この排出口１０１ｂの下側には、開閉蓋１０５が取付けられている。この蓋１０５を開けると、後述するテープカートリッジ３の装着部４が形成されている。したがって、この蓋１０５を開けてテープカートリッジ３の交換を行うことができる。また、本体ケーシング１０１の上面中央には、後述するインクカートリッジ８を交換するための開閉蓋１０６が配置されている。
【００４０】
　本体ケーシング１０１の内部には、キーボード入力部１０２が位置する前側部分には、電源ユニット、ニッカド電池等の電池等（図示せず）が搭載されている。また、後側部分には、図３に示すプリンタ部２が構成されている。
【００４１】
（プリンタ部２の駆動機構ユニット）
　図３に示すように、本例のプリンタ部２は、テープＴの供給源であるテープカートリッジ３が着脱可能に装着されたカートリッジ装着部４と、ここに装着されたカートリッジ３から繰り出されるテープＴに印字を行うインクジェットヘッド７と、インクジェットヘッド７に対してインクを供給するために着脱可能に装着されたインクカートリッジ８と、インクジェットヘッド７をテープＴの幅方向に往復移動させるキャリッジ９を有している。キャリッジ９には、インクカートリッジ８を着脱可能に装着するためのインクカートリッジ装着部９０１が形成されている。さらに、インクジェットヘッド７のインクノズルを塞ぐとともに、必要に応じてポンプモータ１１１（図６参照）によりクリーニング処理等を行う、ヘッドキャップ機構１１を備えている。
【００４２】
　各部分を詳細に説明すると、駆動機構ユニット２は上記の各構成部分を搭載するためのベース２１を備え、このベース２１の両側には垂直に立ち上がった右側壁２２、左側壁２３が形成されている。右側壁２２の上側部分には水平にモータ取付け板（図示せず）が延びており、この上に、キャリッジモータ（以下「ＣＲモータ」と略称する）９１が取付けられている。このＣＲモータ９１の出力軸は下方向に延びており、その下端にはプーリ９２が固着されている。反対側の左側壁２３の側においては、ベース上に支持されたテンションレバー９３の先端にテンションプーリ（図示せず）が回転自在に支持されている。これらプーリの間には、タイミングベルト９５が一定の引っ張り状態で架け渡されている。タイミングベルト９５には、インクジェットヘッド７が搭載されたキャリッジ９の上側が連結されている。キャリッジ９の下側は、左右側壁２２、２３の間に架け渡したキャリッジガイド軸９７によってその軸線方向に移動自在に支持されている。
【００４３】
　キャリッジ９の駆動機構は上記のように構成されており、ＣＲモータ９１を駆動することにより、タイミングベルト９５に連結されているキャリッジ９がテープＴの幅方向に向けて往復直線移動する。よって、そこに搭載されているインクジェットヘッド７が幅方向に往復直線移動する。したがって、この移動と同期させてインクジェットヘッド７を駆動することにより、搬送されるテープＴの表面に所望の印刷を形成することができる。
【００４４】
　キャリッジ９のインクカートリッジ装着部９０１に着脱可能に搭載されているインクカートリッジ８は、例えば、３個のインクタンク８３（８３−１、８３−２、８３−３）を備え、それぞれには、イエロー、シアン、マゼンタのインクが貯留されている。したがって、インクジェットヘッド７の側も、各色に対応したインクノズル（図示せず）を備えている。
【００４５】
（インクジェットヘッド７とインクカートリッジ８の間のインク供給機構）
　図４には、キャリッジ９に搭載されたインクジェットヘッド７と、このインクジェットヘッド７の裏面側に接続されるインクカートリッジ８のみを取り出して示してある。
【００４６】
　インクジェットヘッド７は、全体として直方体形状のヘッドケース７０１を備え、この前壁部分が半導体製造技術によって構成したヘッド本体７０２であり、このヘッド本体７０２の表面には多数のインクノズル（図示せず）が形成されており、これらのノズルからインク液滴が吐出する。ヘッドケース７０１の裏面側にはインクカートリッジ８側に接続される接続部７０３が形成されている。この接続部７０３は、左右両側が半円状に湾曲した周壁７０４によって囲まれた凹部７０５を有し、この凹部７０５の底面には、各色のインクをインクジェッドヘッド内に導入するインク導入部を構成する針状突起７０６（７０６ー１、７０６ー２、７０６ー３）が突出している。各針状突起７０６の外周には、筒状のインクフィルタカートリッジ７０７が着脱可能に装着されている。
【００４７】
　これに対して、インクカートリッジ８の側は、縦長の３個の各色のインクタンク８３（８３−１、８３−２、８３−３）が横方向に連結された構成となっている。このインクカートリッジ８の前壁下方には、それぞれ、円形のインク供給口８３１が開いている。このインク供給口８３１を、インクジェットヘッド７の側の凹部７０５に差し込むと、この凹部７０５から突出している３本の針状突起７０６に装着したインクフィルタカートリッジ７０７が、インク供給口８３１から各インクタンク８３の内部に差し込まれる。この状態において、各インクタンク８３に貯留されている各色のインクが、インク供給口８３１に差し込まれたインクフィルタカートリッジ７０７およびその内側の針状突起７０６を経由して、インクジェットヘッド７の側に供給される。
【００４８】
　なお、インクジェットヘッド７のヘッドケース７０１には、左右両側にそれぞれ、キャリッジ９への取付け部７０８が形成されており、これらの部分がビス止め等によって、キャリッジ９の側に固着される。また、想像線で示すように、ヘッドケース７０１の内部には、その裏面に開いているスリット７０１ａを通して配線用のフレキシブルケーブル７０９が配置されている。このケーブル７０９は、ヘッドケース７０１内において、前側のインクジェットヘッド７本体に接続され、他端側は、不図示のインクジェットヘッド７の駆動回路（図６参照）の側に接続されている。このケーブル７０９を介してインクジェットヘッド７が電気的に駆動されて、インクの吐出動作が行なわれる。
【００４９】
（テープカートリッジ３およびその装着部４）
　本例のテープカートリッジ３およびその装着部４の構造について説明する。図５には、テープカートリッジ３の断面構成を示してある。本例のテープカートリッジ３は、直方体形状のカートリッジケース３１を有し、この内部空間３２には、テープＴが巻き取られたテープロール３３が中央に配置されている。このカートリッジケース３１の前壁３４の上下方向の中程の部分は、装着状態において丁度、インクジェットヘッド７のインクノズルに対峙するようになっている。
【００５０】
　この前壁部分３４Ａがインクジェットヘッド７の印刷位置を規定する案内部材（以下においては、単に「紙案内」と呼ぶ。）として機能し、この表面に沿ってテープＴが搬送される。この前壁部分３４Ａの上下には、その表面から一定の間隔を置いて上ガイド壁３５および下ガイド壁３６がカートリッジケース３１に一体形成されており、これらと前壁部分３４Ａの間に記録媒体の搬送路が区画形成されている。また、これら上下のガイド壁３５、３６の間の開口３５Ａは、インクジェットヘッド７の側から吐出されたインク液滴をテープＴの側に通過させるための印刷開口部である。
【００５１】
　この前壁３４の下側には、テープＴを繰り出すための繰り出し口３７が形成されている。この繰り出し口３７の内側には、左右一対のテープ押さえローラ３８が配置されている。これらのローラ３８は、ケース３１の内側に取り付けた板ばね４１によって繰り出し口３７の側に向けて押し付けられている。また、これらのローラ３８は、板ばね４１のばね力に抗して、繰り出し口３７から内方に向けて一定の距離だけ押し込み可能な状態で、ケース３１の側に支持されている。初期状態においては、テープＴの先端は、繰り出し口３７の縁とローラ３８の外周面の間にばね力によって挟まれて保持された状態となっている。
【００５２】
　一方、紙案内として機能するケース前壁部分３４Ａには、その左右にインク回収窓４２が開いている。ケース前壁部分３４Ａの内側には、ケース内壁４３によって廃インク回収部４４が区画形成されており、ここには、インク吸収材４５が充填されている。インク吸収材４５の一部は、一対の回収窓４２からインクジェットヘッド７の側に露出している。
【００５３】
　次に、本例のテープカートリッジ３においては、テープＴの繰り出し、搬送動作を常に適切な状態で行うことができるように、次の構成を採用している。すなわち、テープ繰り出し口３７の左右に配置されている押さえローラ３８の外側には、それぞれ、巻き込み防止案内板４６が取付けられている。この巻き込み防止案内板４６はプラスチック製の薄板であり、その上端側が前壁部分３４Ａの下端表面に固着され、繰り出し口３７の上側の縁と押さえローラ３８の間を封鎖した状態で下方に向けて延びている。そして、その下端側は、繰り出し口３７から繰り出されるテープＴの邪魔にならないように、カートリッジケースの内方に向けて湾曲している。
【００５４】
　また、本例のテープカートリッジ３においては、紙案内として機能する前壁部分３４Ａの下側の部分に形成した下ガイド壁３６の内側には、案内補助板４７が取付けられている。この案内補助板４７は、下端側が前壁部分３４Ａから離れる方向に広がっており、上端側に向けて徐々に前壁部分３４Ａの側に接近している。このような案内補助板４７を配置することにより、テープカートリッジ３から繰り出されたテープＴは、確実に印刷位置に向けて案内される。
【００５５】
　上記構成のテープカートリッジ３が装着されるプリンタ本体側の装着部４は、図３において、その前壁の下側には、少なくとも２本の位置決めピン（図示せず。）が取付けられており、テープカートリッジ３の装着位置を規定するようになっている。これらのピンの上方には、送りローラ６１が配置されている。この送りローラ６１は、左右の側壁２２、２３の間の回転自在に架け渡されている。
【００５６】
　一方、送りローラ６１を含む本例のテープＴの搬送機構は、駆動機構ユニットの左側壁２３に取り付けたられた紙送りモータ（以下「ＰＦモータ」という）６２と、この出力を、送りローラ６１に伝達する減速歯車列６３を備えている。減速歯車列６３は、左側壁２３の外側面にそれぞれ回転自在に支持されている。送りローラ６１によって搬送されるテープＴは、テープカートリッジ３の前壁部分３４Ａによって規定される紙案内に沿って上方に搬送され、その前壁部分３４Ａの中程の印刷位置において、インクジェットヘッド７によって印刷が行われる。印刷後のテープＴの部分は、前壁部分３４Ａと上ガイド壁３５の間の搬送通路に沿って搬送され、その上端から斜め後方に向けて延びる一対の案内板５４、５５により規定される搬送路を通って、排出ローラ５６によって、本体ケースの後ろ側に開けたテープ排出口１０１ｂから排出される。
【００５７】
（制御系の構成）
　図６を参照して、本例のインクジェットプリンタ１における制御系の基本的な構成を説明する。制御系は、基本的に、制御部２００、キーボード入力部１０２、プリンタ駆動回路２８０、および液晶駆動回路２９０を備えている。
【００５８】
　キーボード入力部（印刷データ入力手段）１０２は、図２で前述のように、文字や記号などの印字データの他、色指定キー１０２Ｃや色設定キー１０２Ａのキー入力により、該印字データを印刷するときの印刷色としての文字色および背景色の色指定データを制御部２００に入力する。また、プリンタ駆動回路２８０は、プリンタ部２のインクヘッド７を駆動するヘッド駆動回路２８１と、ＣＲモータ９１、ＰＦモータ６２およびポンプモータ１１１を駆動するモータ駆動回路２８２を備え、制御部２００から出力される制御信号に基づいて、その指示に従ってプリンタ部２内の各部を制御する。同様に、液晶駆動回路２９０は、制御部２００の指示に従って液晶表示部（表示手段）１７を制御する。
【００５９】
　制御部２００は、１チップマイクロコンピュータ（以下「ＣＰＵ」という）２１０、ＲＯＭ２２０、スタティックＲＡＭ２３０、ダイナミックＲＡＭ２４０、入力インターフェイス２５０、出力インターフェイス２６０を備え、互いに内部バス２７０により接続されている。
【００６０】
　ＲＯＭ２２０は、ＣＰＵ２１０で処理する制御プログラム等の他、後述する色変換テーブル２２１や文字修飾テーブル２２２などを記憶している。スタティックＲＡＭ２３０は、キーボード入力部１０２から入力されたデータをテキストデータとして記憶するなど、制御処理のための作業領域として使用される。このスタティックＲＡＭ２３０は、前記の電源ボタン１０４の操作により電源がオフにされても、記憶したデータを保持しておくようにバックアップ回路（図示せず）によって電源の供給を受けている。ダイナミックＲＡＭ２４０は、キーボード入力部１０２から入力された結果を印刷データや表示データとして一次記憶しておくためのバッファであり、表示用バッファ２４１、色変換バッファ２４２、ドット展開バッファ２４３の他、各種変換バッファ２４４などが含まれる。
【００６１】
　また、入力インターフェイス２５０は、キーボード入力部１０２と接続され、キーボード入力部１０２からの入力データを内部バス２７０に取り込むための回路であり、出力インターフェイス２６０は、ＣＰＵ２１０等から内部バス２７０に出力されたデータや制御信号を、プリンタ駆動回路２８０や液晶駆動回路２９０に出力する回路である。
【００６２】
　そして、ＣＰＵ２１０は、上記の構成により、ＲＯＭ２２０内の制御プログラムに従って、入力インターフェイス２５０を介してキーボード入力部１０２から入力された印字データ、色指定データ等、および、スタティックＲＡＭ２３０やダイナミックＲＡＭ２４０のデータ等を処理し、出力インターフェイス２６０を介してプリンタ駆動回路２８０や液晶駆動回路２９０に制御信号を出力することにより、所定の印刷条件でテープＴにカラー印刷するように、インクジェットプリンタ１全体を制御している。
【実施例１】
【００６３】
　このように構成されたインクジェットプリンタ１において、本例では、印字データを印刷するときの色を指定するための構成に特徴がある。この指定方法を行うために、本例では、キーボード入力部１０２からの色指定データに基づいて印刷色データに変換する色変換テーブル２２１を、ＲＯＭ２２０内に記憶している。この色変換テーブル２２１には、図７に示す色相環に相当する混色用データや明度を変えるための明度変換テーブルが含まれる。
【００６４】
　本例のインクジェットプリンタ１では、上記の色変換テーブル２２１を参照することにより、複数の色指定キー１０２Ｃが操作されたときに、操作された各キーに対応する各色を色相環に従って混色し、それらの中間色を求め、印字データを印刷するときの色として決定する。また、白指定キー１０２Ｗまたは黒指定キー１０２Ｄがその他の色指定キー１０２Ｃとともに操作されたときには、印字データを印刷するときの色の明度を変更する。
【００６５】
　以下、本例の特徴となる印刷色決定処理について、図８を参照して説明する。同図に示すように、色設定キー１０２Ａのいずれか、すなわち、文字色指定キー１０２Ｘ、背景色指定キー１０２Ｙ、色指定確定キー１０２Ｚのいずれかがキー入力されると、色設定用割込等により印刷色決定処理（Ｓ１）が起動される。
【００６６】
　印刷色決定処理（Ｓ１）が起動されると、まず、文字色指定キー１０２Ｘか否かを判別し（Ｓ１１）、文字色指定キー１０２Ｘがキー入力されたとき（Ｓ１１：Ｙｅｓ）には、次に、文字色を指定するモードを設定する（Ｓ１２）。文字色指定キー１０２Ｘでないとき（Ｓ１１：Ｎｏ）には、次に、背景色指定キー１０２Ｙか否かを判別して（Ｓ１３）、背景色指定キー１０２Ｙがキー入力されたとき（Ｓ１３：Ｙｅｓ）には、次に、背景色を指定するモードを設定する（Ｓ１４）。以下、上述の色指定用割込等による起動からの一連の処理を「色指定モード設定」（図８のＳＴ１１相当）として内部の詳細な処理は省略して説明する。
【００６７】
　色指定モード設定（ＳＴ１１）が終了すると、次に、色指定確定キー１０２Ｚが入力されたか否かを判別し（Ｓ１５）、色指定確定キー１０２Ｚが入力されていない（Ｓ１５：Ｎｏ）間は、入力されるまで（Ｓ１５：Ｙｅｓとなるまで）待機する。
【００６８】
　ここで、例えば、印刷色決定処理（Ｓ１）が、色指定確定キー１０２Ｚの入力により（色指定確定キー１０２Ｚのキー入力で発生した割込等により）起動された場合には、入力されたことが判別される（Ｓ１５：Ｙｅｓ）ので、すぐに次の処理に移ることになる。この場合、色指定モードは、以前に設定された側のモードのまま変更されないため、以前に文字色指定モードが設定されていれば文字色指定モードのまま、以前が背景色指定なら背景色指定モードのまま、次の処理に移行する。
【００６９】
　一方、文字色指定キー１０２Ｘや背景色指定キー１０２Ｙの入力により印刷色決定処理（Ｓ１）が起動された場合には、各色指定モード設定後、色指定確定キー１０２Ｚのキー入力を待つことになる。以下、この処理を「確定キー待ち」（図８のＳＴ１２相当）として内部の判断分岐等は省略して説明する。
【００７０】
　確定キー待ち（ＳＴ１２）が終了すると、次に、色指定確定キー１０２Ｚを押したときに、同時に押していた色指定キー１０２Ｃの種別を検出し（Ｓ１６）、次に、中間色等を演算して（Ｓ１７）、指定色を確定した（Ｓ１８）後、処理（Ｓ１）を終了する（Ｓ１９）。以下、これらの処理を「色指定キー検出」（図８のＳＴ１３相当）、および「指定色確定」（図８のＳＴ１４相当）として省略して説明する。
【００７１】
　図８に示した印刷色決定処理（Ｓ１）をまとめると、以下のようになる。印刷すべき文字情報からなる印字データがキーボード入力部１０２から入力された後に、文字色指定キー１０２Ｘがキー入力されると文字色指定モードが設定され、背景色指定キー１０２Ｙがキー入力されると背景色指定モードが設定された（ＳＴ１１）後、色指定確定キー１０２Ｚがキー入力されるまで待機する（ＳＴ１２）。その後、色指定確定キー１０２Ｚが押されたら、いずれの色指定キー１０２Ｃが押されたかを検出して（ＳＴ１３）、指定色を確定する（ＳＴ１４）。
【００７２】
　例えば、文字色指定キー１０２Ｘを押した後、色指定キー１０２Ｃのいずれかと色指定確定キー１０２Ｚとを同時に押すと、その色指定キー１０２Ｃ（の種別）を検出して（ＳＴ１３）、今回入力した印字データを印刷するときの文字色を確定する（ＳＴ１４）。このとき、色指定キー１０２Ｃを２つ同時に（例えば、黄指定キー１０２Ｋと緑指定キー１０２Ｇとを同時に）押しながら色指定確定キー１０２Ｚを押すと、これらのキーに対応する中間色（黄緑色）を文字色として確定する。
【００７３】
　同様に、背景色指定キー１０２Ｙを押した後、色指定キー１０２Ｃのいずれかと確定キー１０２Ｚとを同時に押すと、その色指定を検出して（ＳＴ１３）、今回入力した印字データを印刷するときの背景色を確定する（ＳＴ１４）。このときも、色指定キー１０２Ｃを２つ同時に（例えば、白指定キー１０２Ｗと黒指定キー１０２Ｄとを同時に）押しながら確定キー１０２Ｚを押すと、これらのキーに対応する中間色（灰色）を背景色として確定する。
【００７４】
　さらに、白指定キー１０２Ｗと黄指定キー１０２Ｋとを同時に押しながら確定キー１０２Ｚを押すと、印刷するときの色は、同じ黄色でも明るい黄色に確定する。また、黒指定キー１０２Ｄと黄指定キー１０２Ｋとを同時に押しながら確定キー１０２Ｚを押すと、暗い黄色に確定する。
【００７５】
　以上説明したように、本例のインクジェットプリンタ１では、頻繁に使用される７色分の色指定キー１０２Ｃだけを設け、その代わりに複数の色指定キー１０２Ｃを同時に操作すれば操作された色指定キー１０２Ｃに対応する各色の中間色で印刷するようになっている。また、白指定キー１０２Ｗや黒指定キー１０２Ｄを利用して、印刷するときの色の明度も変えられるようになっている。
【００７６】
　このため、本例のインクジェットプリンタ１によれば、少ない色指定キー１０２Ｃでありながら、混ぜたい色に対応する複数の色指定キー１０２Ｃを押すという簡単な操作だけで多様なカラー印刷を行うことができ、インクジェットプリンタ１の小型化・低価格化を図りながらその使い勝手を高めることができる。
【００７７】
　また、文字色設定キー１０２Ｘや背景色設定キー１０２Ｙにより色指定モードを選択・設定することができるので、文字色と背景色とを独立に指定することができ、これにより、さらに色鮮やかな多様な配色のカラー印刷ができるようになっている。
【００７８】
　なお、上記の実施例１では、色指定確定キー１０２Ｚは、指定した色を確定する為に用いたが、入力した印字データを確定する機能を有するキーと兼用するようにしても良い。また、文字色指定と背景色指定とを１つの設定キーのオン／オフで切り替えるなどの選択入力にすることもできる。また、色指定キー１０２Ｃや色設定キー１０２Ａは、通常のキーボードと同様に、シフトキー等の機能キーとの組み合わせで操作することにより、文字キー等と兼用しても良い。また、色指定キー１０２Ｃや色設定キー１０２Ａに、入力直後に確定する機能を持たせて、色指定キー１０２Ｚを省略しても良い。これらの場合、全体としてさらに少ないキーのキーボード入力部１０２とすることができる。
【００７９】
　また、上記の実施例１では、印刷処理決定処理を色設定割込等による割込処理として説明したが、ループ処理で色指定キー１０２Ｃまたは色設定キー１０２Ａの入力待ちを行う処理プログラムとして用意し、マルチタスク管理等により定期的に起動させたり、時分割で動作させたりすることも可能であることはいうまでもない。
【００８０】
　また、上記の実施例１において、指定色を確定するまでの間およびその後、液晶表示部１７上に、入力された印字データに加えて、印刷色としての指定結果を併せて表示することもできる。このような表示を行うにあたって、液晶表示部１７にカラー表示画面を有する場合には、このカラー表示画面に、印字データを所定の文字色および背景色で表示すればよい。
【００８１】
　また、低価格を維持するためにモノクロ表示画面やカラーの判別しにくい表示画面等を用いている場合には、実施例２で詳述するように、印字データの印刷色（文字色または背景色）をその表示画面上に文字表示してもよく、また、実施例３で詳述するように、印刷色の種類に応じて、印字データの表示パターンを変えることによってその色を表示してもよい。
【００８２】
［実施例１の変形例１］
　なお、印字データを印刷するときに中間色を指定する方法として、実施例１では、複数の色指定キー１０２Ｃを同時に押しながら確定キー１０２Ｚを押すようになっていたが、複数の色指定キー１０２Ｃを同時に押した後、続いて確定キー１０２Ｚを押したときに、色が確定するようにしてもよい。
【００８３】
　このような場合の印刷色決定処理について、図９を参照して説明する。同図（Ａ）に示すように、まず、印字データがキーボード入力部１０２から入力された後、文字色指定キー１０２Ｘまたは背景色指定キー１０２Ｙが押されると色指定モード設定を行う（ＳＴ２１）。その後、いずれの色指定キー１０２Ｃが押されたかをスキャンし（ＳＴ２２）、色指定確定キー１０２Ｚが押されるまで待機する（ＳＴ２３）。
【００８４】
　その間、色指定キー１０２Ｃの状態が変わる毎に対応する色を求めていく（ＳＴ２２）。この場合、例えば、色指定キー１０２Ｃも前述の色設定用割込の要因として登録しておくことにより、色指定キー１０２Ｃのいずれかが押される度に、印刷色決定処理が再起動され、文字色指定キー１０２Ｘや背景色指定キー１０２Ｙでないことを判別して（ＳＴ２１：図８のＳＴ１１参照）、以前設定のモードのまま、色指定キー１０２Ｃのスキャン＆種別検出（ＳＴ２２）が行われる。
【００８５】
　上記の状態のときに、例えば、同図（Ｂ）に示すように、第１番目に黄指定キー１０２Ｋが押されたとすれば、印字データを印刷するときの色を黄色と仮設定しておくが、それに続いて色指定確定キー１０２Ｚが押されないときには、色を確定しない。従って、第２番目に黄指定キー１０２Ｋと緑指定キー１０２Ｇとが同時に押されたときには、黄色に代えて黄緑色と仮設定する。それ以降、色指定キー１０２Ｃが押されなければ（第３番目）、色指定確定キー１０２Ｚが押されるまで黄緑色を仮設定したままであるが、第４番目に黒指定キー１０２Ｄが押されたときには、黄緑色に代えて黒色を仮設定する。
【００８６】
　同様に、第５番目に黒指定キー１０２Ｄと白指定キー１０２Ｗとが同時に押されると、灰色を仮設定し、色指定確定キー１０２Ｚが押されるまで、灰色を仮設定したまま（第６番目）となり、第７番目として色指定確定キー１０２Ｚが押されたときには、最後に求めた色（灰色）を、印字データを印刷するときの色として確定する（ＳＴ２４）。
【００８７】
　このように構成したインクジェットプリンタ１では、実施例１で得られる効果に加え、色指定キー１０２Ｃと色指定確定キー１０２Ｚとを同時に押す必要がないので、両者が離れた位置にあっても操作が容易であるという利点がある。また、印刷色は、色指定確定キー１０２Ｚを操作する前の最後（最終回）の色指定キーの操作による指定色から求められるので、色指定確定キー１０２Ｚを操作するまでは、何度でも印刷色の指定のやり直しができる。すなわち、誤操作等により色指定に失敗しても、すぐにかつ容易に色指定をやり直すことができる。
【００８８】
　また、例えば、後述の実施例２や実施例３と同様の、指定色を表示する表示手段等があれば、指定色を確認した後、その指定色を確定することができ、気に入らなければ指定し直すなどの応用ができる。なお、最終回の操作の時に（例えば、上述した第５番目に黒指定キーと白指定キーを同時に押したように）、複数の色指定キー１０２Ｃが操作された場合、途中経過の指定色を確認する必要がなければ、そのときの中間色を求めるタイミングは、色指定確定キーを操作した直後でも良いし、上述の変形例１のように毎回の操作時に予め求めておいて、最終回の操作時に求めた中間色を、色指定確定キー１０２Ｚの操作時に確定させても良い。
【００８９】
［実施例１の変形例２］
　また、色指定キー１０２Ｃを押す毎に色を混ぜていき、色指定確定キー１０２Ｚを押したときに、この色指定確定キー１０２Ｚを押す以前に押された色指定キー１０２Ｃに対応する各色を混ぜた中間色を、印字データの印刷色として確定することもできる。
【００９０】
　このような場合の印刷色決定処理について、図１０を参照して説明する。同図（Ａ）に示すように、この変形例２では、前述の変形例１と同様に、色指定モード設定を行った（ＳＴ３１）後、いずれの色指定キー１０２Ｃが押されたかをスキャンし（ＳＴ３２）、色指定確定キー１０２Ｚが押されるまで待機する（ＳＴ３３）が、色指定確定キー１０２Ｚが押されるまでの間、いずれの色指定キー１０２Ｃが押されたかをスキャンしながら、今回押された色指定キー１０２Ｃに対応する色を、前回までに押された色指定キー１０２Ｃによる色に混色する（ＳＴ３２）。
【００９１】
　例えば、同図（Ｂ）に示すように、第１番目に黄色指定キー１０２Ｋが押されたとすれば、印字データを印刷するときの色は、黄色であると仮設定しておくが、第２番目に緑色指定キー１０２Ｇが押されたときには、黄色に代えて黄緑色を仮設定する。第３番目に白色指定キー１０２Ｗが押されたときには、これまで仮設定されていた標準の黄緑色よりもさらに明るい黄緑色を仮設定する（ＳＴ３２、ＳＴ３３）。そして、それに続いて、第４番目に色指定確定キー１０２Ｚが押されたときには、印字データを印刷するときの色を明るい黄緑色に確定する（ＳＴ３４）。
【００９２】
　このように構成したインクジェットプリンタ１では、印刷色は、色指定確定キー１０２Ｚを操作する前の色指定キー１０２Ｃの操作による指定色を累積して混色することにより求められるので、順次、必要な色指定キー１０２Ｃを操作すれば良い。すなわち、複数の色指定キー１０２Ｃや色確定キー１０２Ｚを同時に操作する必要がないので、実施例１で得られる効果に加え、各キー相互間が離れた位置にあっても、容易に操作できるという利点がある。
【００９３】
　また、例えば、後述の実施例２や実施例３と同様の、混色した結果の中間色を表示する表示手段等があれば、それを確認しながら必要とする指定色を累積して混色することにより、任意に中間色を調整した後、その中間色を確定することができ、この中間色に基づいて印刷色を決定できる。なお、特に途中結果の中間色を確認する必要がなければ、それらの各指定色による中間色を求めるタイミングは、色指定確定キーを操作した直後でも良い。すなわち、操作された色指定キーにより指定された色を累積して記憶しておき、色指定確定キーが操作された後に、全ての中間色を求めることもできる。
【実施例２】
【００９４】
　図１ないし図６に示すように構成されたインクジェットプリンタ１のうち、本例では、液晶表示部１７にモノクロ表示画面しかなく、カラー表示できないが、印字データを印刷するときの色を指定したときにはその指定された色の種類をモノクロ表示画面上で文字表示することに特徴を有する。
【００９５】
　このような表示方法を行うために、本例では、図１１（Ａ）に示すように、液晶表示部１７のモノクロ表示画面上に、３行分の印字データ表示領域１７０が設定されているとともに、これらの各印字データ表示領域と同じ行には、この行に表示されている印字データを印刷するときの背景色の種類を文字表示する行別印刷色表示領域１７１が３行分設定されている。
【００９６】
　ここで、各印字データの背景色が１行のうちで切り換わるときには、この印字データに対応する行別印刷色表示領域１７１には、印刷するときの背景色の種類に代えて背景色の数を表示することができるようになっている。但し、このような場合には、どのように切り換わるかまではわからないので、印字データ表示領域１７０の下の行には、カーソルで指定された行の印字データを印刷するときの背景色の種類を文字表示できるカーソル指定行印刷色表示領域１７２が設定されている。
【００９７】
　このカーソル行印刷色表示領域１７２は、所定のキー操作を行うことによって、未表示モード、カーソルで指定された行全体の背景色パターンを表示するためのカーソル指定行背景色表示モード、カーソルで指定された行全体の文字色パターンを表示するためのカーソル指定行文字色表示モードに切り換わるようになっており、カーソル指定行文字色表示モードを選択すると、カーソル指定行印刷色表示領域１７２には、カーソルで指定された行の印字データを印刷するときに切り換わる文字色パターンが表示されるようになっている。
【００９８】
　また、行別印刷色表示領域１７１の下の行には、カーソルが位置する文字を印刷するときの文字色の種類を文字表示するためのカーソル位置印刷色表示領域１７３が設定されている。
【００９９】
　以下、上記のようなモノクロ表示画面上に対して行う表示処理について、図１２を参照して説明する。なお、以下で説明する処理は、ＣＰＵを使用して行う処理としては簡単なものなので、一般的な表示画面を有する装置において行われる表示処理のうち、本実施例に関係する部分だけを抜粋し、かつ詳細フローは省略して概念的な動作で説明する。
【０１００】
　まず、行別印刷色表示領域１７１に対する表示処理については、同図（Ａ）に示すように、（液晶表示部１７の）表示画面上の各行に対して、順次、その行が何行目かを確認した（ＳＴ４１）後、その行で使われる背景色の数を確認する（ＳＴ４２）。
【０１０１】
　ここで、背景色が１色であると判断した場合には、同じ行上の行別印刷色表示領域１７１にその色の種類を文字表示する。例えば、図１１（Ａ）において、印字データ表示領域１７０の第１行目に表示した印字データ「あいうえおアイウエオ」の１行分すべての背景色を赤色で印刷し、印字データ表示領域１７０の第３行目に表示した印字データ「さしすせそサシ」の１行分のすべての背景色を黄色で印刷する場合には、同じ行にある行別印刷色表示領域１７１には、それぞれ文字「赤」「黄」と表示する。
【０１０２】
　これに対して、背景色が２色以上であると判断した場合には、同じ行上の行別印刷色表示領域１７１にその色の数を表示する（ＳＴ４４）。例えば、図１１（Ａ）において、印字データ表示領域１７０の第２行目に表示した印字データ「かきくけこカキクケコ」のうち、先頭から５文字分の印字データ「かきくけこ」の背景色を青色で印刷し、それに続く５文字分の印字データ「カキクケコ」の背景色を緑色で印刷するようになっている場合には、同じ行で２色に切り換わるとして、同じ行上にある行別印刷色表示領域１７１には、数字「２」を表示する。
【０１０３】
　次に、カーソル位置印刷色表示領域１７３に対する表示処理については、図１２（Ｂ）に示すように、カーソル位置に対応する文字を印刷するときの色を求め（ＳＴ５１）、この文字の色をカーソル位置印刷色表示領域１７３に表示する（ＳＴ５２）。例えば、図１１（Ａ）において、印字データ表示領域１７０の第３行目に表示した印字データ「さしすせそサシ」のうち、カーソルが位置する印字データ「シ」を黒で印刷するときには、カーソル位置印刷色表示領域１７３には、文字「黒」を表示する。
【０１０４】
　また、カーソル指定行印刷色表示領域１７２に対する表示処理については、図１２（Ｃ）に示すように、まず、未表示モード、カーソル指定行背景色表示モード、カーソル指定行文字色表示モードのうちのいずれのモードにあるかを判断する（ＳＴ６１）。ここで、未表示モードに設定されている場合には、図１１（Ａ）に示すように、カーソル行印刷色表示領域１７２には何も表示しない（ＳＴ６２）。
【０１０５】
　これに対して、カーソル指定行背景色表示モードに設定され（ＳＴ６１）、かつ、図１１（Ｂ）に示すように、印字データ表示領域１７０の第２行目にカーソルがある場合には、先頭から５文字分の「かきくけこ」の背景色を青色で、それに続く５文字分の「カキクケコ」の背景色を緑色で、それぞれ印刷するようになっているので、カーソル行印刷色表示領域１７２には、色が切り換わる位置に対応する位置に点線からなる境界線１７４を表示するとともに、それに仕切られた各領域内には、各背景色として文字「青」「緑」を表示する（ＳＴ６３）。
【０１０６】
　また、カーソル指定行文字色表示モードに設定され、かつ、図１１（Ｂ）に示すように、印字データ表示領域１７０の第２行目にカーソルがある場合には、この印字データ「かきくけこカキクケコ」の文字色パターンを表示する（ＳＴ６４）。ここで、例えば、「かきくけこ」の文字色を白色で印刷し、それに続く「カキクケコ」の文字色を黄色で印刷するようになっているとすれば、カーソル指定行印刷色表示領域１７２には、文字色が切り換わる位置に対応する位置に、やはり境界線１７４を表示するとともに、それに仕切られた各領域内には、各文字色として文字「白」「黄」と表示される。
【０１０７】
　以上説明したように、本例のインクジェットプリンタ１では、モノクロ表示画面でありながら、印刷するときの色を所定の領域に文字表示することによって、文字色や背景色を視認できるようになっている。しかも、色の指定結果を文字表示するため、制御が簡単であり、かつ色の指定結果が分かりやすいという利点がある。
【０１０８】
　すなわち、上述の表示方法を適用したインクジェットプリンタ１では、低価格化のためにモノクロ表示画面や色彩の判別しにくいカラー表示画面しか搭載されていない場合であっても、印刷色を表示画面上に文字表示するので、指定された印刷色を明確に視認できる。この結果、小型・低価格でありながら使い勝手の良いカラー印刷装置とすることができる。
【０１０９】
　また、本例のインクジェットプリンタ１では、行別印刷色表示領域１７１に行毎の印刷色（背景色）を文字表示するので、印字データが複数行に渡るような場合でも、各行毎の印刷色を明確に視認でき、さらに使い勝手が良い。また、１行の印字データの途中で印刷色が切り換わるときに、印刷色の代わりにその数を表示するので、印刷色が途中で切り換わっていることを容易に視認することができる。
【０１１０】
　また、カーソルで指定された行の印刷色が１行のうちで切り換わるときに、カーソル指定行印刷色表示領域１７２に印刷色の切り換わる位置および種類をそれぞれ表示するので、各行の印刷色が途中で切り換わっているような場合でも、カーソルを行間移動させるだけで、各行の各部分の印刷色を容易に視認することができる。
【０１１１】
　また、カーソル位置印刷色表示領域１７３にカーソルで指定された印字データの印刷色（文字色）の種類を文字表示するので、カーソルを移動させるだけで、各印字データの印刷色を容易に視認することができる。
【０１１２】
　なお、本例において、印刷するときの色をキー操作によって指定する方法については、各種の方法を用いることができるが、実施例１およびその変形例で示した指定方法を用いることにより、色指定キー１０２Ｃの数を必要最小限に抑えながら、多くの中間色を指定できる。また、上述の説明における印刷色表示としての文字色表示と背景色表示との関係は逆にしても良いし、表示領域の組み合わせを変えるなどの応用も容易であることは、いうまでもない。
【実施例３】
【０１１３】
　液晶表示部１７にモノクロ表示画面等しかないインクジェットプリンタ１において、モノクロ表示画面上での表示パターンを変えることによって、印字データを印刷するときの色の指定結果を表示するという観点からすれば、印字データを印刷するときの色の種類を該印字データを表示するときの文字修飾の種類によって表示してもよい。
【０１１４】
　例えば、実施例３のインクジェットプリンタ１では、図６で前述のＲＯＭ２２０内に、表示用の文字修飾テーブル２２２を記憶している。まず、図１３（Ａ）に示すように、液晶表示部１７のモノクロ表示画面上に構成されている３行分の印字データ表示領域１７０において、第１行目に表示されている印字データ「あいうえおアイウエオ」の背景色を白色で印刷する場合であれば、モノクロ表示画面上では、白地に印字データ「あいうえおアイウエオ」を表示する。
【０１１５】
　これに対して、第３行目に表示されている印字データ「さしすせそサシ」の背景色を黄色で印刷する場合には、モノクロ表示画面上において、例えば、文字修飾として粗いドット状の網掛けパターンの上に印字データ「さしすせそサシ」を表示する。また、第２行目の先頭から５文字分の印字データ「かきくけこ」の背景色を青色で印刷し、それに続く５文字分の印字データ「カキクケコ」の背景色を緑色で印刷する場合には、モノクロ表示画面上において、例えば、右上がりの斜線状の網掛けパターン上に印字データ「かきくけこ」を表示し、右下がり斜線のパターン上に印字データ「カキクケコ」を表示する。
【０１１６】
　上記の表示を行う表示処理では、図１３（Ｂ）に示すように、まず、表示画面上の各行に対して、順次、その行の印字データを印刷するときの背景色は何色かを確認し（ＳＴ７１）、この色をＸ色としたとき、そのＸ色に対応する文字修飾パターンを読み込む（ＳＴ７２）。次に、表示すべき印字データと文字修飾パターンとを合成した（ＳＴ７３）後、合成結果をモノクロ表示画面に表示する（ＳＴ７４）。
【０１１７】
　以上説明したように、本例のインクジェットプリンタ１では、モノクロ表示画面でありながら、印刷するときの色の種類を、モノクロ表示画面上に印字データを表示するときの表示パタ−ンを変えることによって表示する。しかも、同じ表示パターンを変えるといっても、表示の階調を変えて表示する方法よりは、制御が簡単であり、かつ色の指定結果が分かりやすいという利点がある。
【０１１８】
　すなわち、上述の表示方法を適用したインクジェットプリンタ１では、低価格化のためにモノクロ等の表示画面しか搭載されていない場合であっても、印刷色に応じて印字データの表示パターンを変更するので、その表示パターンによって指定された印刷色を明確に視認できる。この結果、小型・低価格でありながら使い勝手の良いカラー印刷装置とすることができる。
【０１１９】
　このカラー印刷装置では、印刷色を網掛けの種類によって表示するので、印刷色によって印字データの表示パターンを容易に変更でき、これにより、指定された印刷色を容易かつ明確に視認できる。
【０１２０】
　なお、本例においても、印刷するときの色をキー操作によって指定する方法については、各種の方法を用いることができるが、実施例１およびその変形例で示した指定方法を用いることにより、色指定キー１０２Ｃの数を必要最小限に抑えながら、多くの中間色を指定できる。
【０１２１】
　また、本例に関しては、印字データを印刷するときの色の全てについて、網掛けの種類を変えたが、印刷するときの色の種類が多い場合には、そのすべてを網掛けの種類によって表示できない。そこで、色をたとえば赤色、黄色、青色、黒色、白色からなる５つのグループに感覚的または色相環的に分類し、印字データを印刷するときの色の種類を、それが属するグループの種類として表示しても良い。また、本例では、モノクロ表示画面上に背景色を表示する場合を例に説明したが、モノクロ表示画面上で文字色を表示する場合に、その色の種類を網掛けの種類で表示してもよい。さらに、モノクロ表示画面上に印字データを表示する際に、印刷するときの文字色に応じて白抜きや水玉模様などで印字データを表示し、背景色および文字色の双方を表示しても良い。
【０１２２】
［実施例３の変形例］
　なお、インクジェットプリンタ１において、印字データを印刷するときの色を該印字データをモノクロ表示画面に表示するときの文字修飾の種類によって表示するという観点からすれば、たとえば、文字色を赤色で印刷する場合には、モノクロ表示画面上で印字データを斜体文字で表示し、文字色を青色で印刷する場合にはモノクロ表示画面上で印字データを強調文字として表示するなど、印字データを印刷するときの文字色の種類を該印字データを表示するときの字体の種類を変えることによって表示してもよい。
【０１２３】
　すなわち、この場合、印刷色を字体の種類によって表示するので、印刷色によって印字データの表示パターンを容易に変更でき、これにより、指定された印刷色を容易かつ明確に視認できる。
【０１２４】
　また、本変形例に関しても、印刷するときの色の種類が多い場合には、そのすべてを字体の種類によって表示できない。そこで、色をたとえば赤色、黄色、青色、黒色、白色からなる５つのグループに感覚的または色相環的に分類し、印字データを印刷するときの色の種類をそれが属するグループの種類として表示してもよい。また、本例では、モノクロ表示画面上に文字色を表示する場合を例に説明したが、モノクロ表示画面上で背景色を表示する場合にその色の種類を字体の種類で表示してもよい。さらに、実施例３で説明した網掛けなどを利用して、文字色と背景色の双方を表示してもよい。
【０１２５】
　また、上述の実施例３やその変形例において、例えば、行方向を網掛けのグループ、列方向を字体のグループ等としたマトリクスから成る参照テーブルなどを利用して、そのマトリクス上に種々の印刷色を分類し、網掛けと字体の組み合わせで印刷色を表示するなど、その他の種々の文字修飾等の組み合わせによる応用が可能である。
【０１２６】
［他の実施形態］
　上記の実施例は、本発明をテープカートリッジから繰り出されるテープ状記録媒体に印刷を行うインクジェットプリンタに適用した例である。しかし、本発明はこれ以外のインクジェットプリンタにも同様に適用できる。例えば、記録媒体カートリッジとして、葉書等のサイズの単票紙を多数枚重ねた状態で収納しているものを着脱可能な装着部を備えたインクジェットプリンタにも、本発明を適用できる。
【０１２７】
　また、本発明を適用可能なインクジェットプリンタとしては、上記の例におけるように、シアン、マゼンタ、イエローの３色のインクタンクを搭載してカラー印刷を行う形式のもので無くても適用できる。例えば、４色以上のインクタンクを搭載可能なインクジェットプリンタに対しても適用できる。
【０１２８】
　さらに、本発明は、インクジェット方式に限らず、サーマル・ヘッドの発熱体によってインクを昇華させる昇華型熱転写方式、溶融型熱転写方式、レーザ方式などいずれの方式にも適用できる。
【図面の簡単な説明】
【０１２９】
【図１】本発明を適用したインクジェットプリンタの外観斜視図である。
【図２】図１のプリンタに設けたキーボード入力部の色指定キーおよび色設定キーを示す説明図である。
【図３】図１のプリンタに内蔵されたプリンタ部の駆動機構ユニットの概略斜視図である。
【図４】図１のプリンタに搭載されているインクジェットヘッドと、そこに接続される着脱可能なインクカートリッジのみを取り出して示す概略斜視図である。
【図５】図１のプリンタのテープカートリッジおよびその装着部分を示す図であり、（Ａ）はその概略断面図であり、（Ｂ）はその前壁を示す説明図である。
【図６】図１のインクジェットプリンタにおける制御系の構成を示すブロック図である。
【図７】実施例１に係るインクジェットプリンタにおいて、中間色を形成する際に用いた色相環図である。
【図８】実施例１に係るインクジェットプリンタにおいて、印刷色を決定するための基本的な動作を示すフローチャート図である。
【図９】（Ａ）は、実施例１の変形例１に係るインクジェットプリンタにおける、図８と同様の図、（Ｂ）は、そのときのキー操作と該当する色状態を示す説明図である。
【図１０】実施例１の変形例２に係るインクジェットプリンタにおける、図９と同様の図である。
【図１１】実施例２に係るインクジェットプリンタにおいて、印刷するときの色をモノクロ表示画面上に文字表示した状態を示す説明図である。
【図１２】実施例２に係るインクジェットプリンタにおいて、印刷するときの色をモノクロ表示画面上に文字表示するための基本的な動作を示すフローチャートである。
【図１３】（Ａ）は、実施例３に係るインクジェットプリンタにおいて、印刷するときの色を文字修飾によってモノクロ表示画面上に表示した状態を示す説明図、（Ｂ）は、そのための基本的な動作を示すフローチャートである。
【符号の説明】
【０１３０】
１・・・インクジェットプリンタ（カラー印刷装置）
２・・・プリンタ部（カラー印刷手段）
３・・・テープカートリッジ（カートリッジ）
１７・・・液晶表示部（表示手段）
１０２・・・キーボード入力部（印刷データ入力手段）
１０２Ｃ・・・色指定キー
１０２Ａ・・・色設定キー
１０２Ｚ・・・色指定確定キー
２００・・・制御部（カラー印刷手段）
１７１・・・行別印刷色表示領域
１７２・・・カーソル指定行印刷色表示領域
１７３・・・カーソル位置印刷色表示領域
Ｔ・・・テープ状記録媒体
【図１】
2004082735.tif 000003
【図２】
2004082735.tif 000004
【図３】
2004082735.tif 000005
【図４】
2004082735.tif 000006
【図５】
2004082735.tif 000007
【図６】
2004082735.tif 000008
【図７】
2004082735.tif 000009
【図８】
2004082735.tif 000010
【図９】
2004082735.tif 000011
【図１０】
2004082735.tif 000012
【図１１】
2004082735.tif 000013
【図１２】
2004082735.tif 000014
【図１３】
2004082735.tif 000015